(57)【要約】【課題】映像音声再生装置に関し、放送受信・ＡＶ入力の構成をユーザが自由に選択設定可能な映像音声再生装置を提供する。【解決手段】種々のモジュール装置を接続し、接続したモジュール装置の中から所望のものを選択して再生させ、また、それぞれのモジュール装置の機能を有効化するためのプログラム（ドライバ等）を自動的に装置本体にインストールすることで、ユーザは所望の再生装置を構築することができる。【選択図】図２
2009055338.tif 000002
【特許請求の範囲】
【請求項１】
所定のフォーマットの映像又は音声データを出力するモジュール装置を複数接続するためのモジュール接続手段と、
前記モジュール接続手段に接続されたモジュール装置から、当該モジュール装置の動作を制御するモジュール制御プログラム、及び、当該モジュール装置から出力された映像又は音声データを再生するための再生処理プログラムを取得するプログラム取得手段と、
前記モジュール制御プログラムを実行することにより、前記モジュール装置から映像又は音声データを取得するデータ取得手段と、
前記再生処理プログラムを実行することにより、前記映像又は音声データのフォーマットに応じた信号処理を施し、データを再生するデータ再生手段と、
前記モジュール接続手段に複数のモジュール装置が接続された場合に、前記複数のモジュール装置の中から有効とするモジュール装置を選択する選択手段と、を備え、
前記データ取得手段は、前記選択手段によって選択されたモジュール装置から映像又は音声データを取得し、
前記データ再生手段は、前記データ取得手段によって取得された映像又は音声データを再生することを特徴とする映像音声再生装置。 
【請求項２】
前記プログラム取得手段は、前記モジュール接続手段にモジュール装置が接続されたとき、又は、接続後に装置本体の電源が投入されたときに、当該モジュール装置から前記モジュール制御プログラム及び再生処理プログラムを取得することを特徴とする請求項１に記載の映像音声再生装置。 
【請求項３】
前記モジュール接続手段は、同一規格の接続インタフェースを有する複数の接続部で構成されることを特徴とする請求項１または２に記載の映像音声再生装置。 
【請求項４】
同一規格の接続インタフェースを有する複数の接続部で構成され、所定のフォーマットの映像又は音声データを出力するモジュール装置を複数接続するためのモジュール接続手段と、
前記モジュール接続手段に接続されたモジュール装置から、当該モジュール装置の動作を制御するモジュール制御プログラム、及び、当該モジュール装置から出力された映像又は音声データを再生するための再生処理プログラムを取得するプログラム取得手段と、
前記モジュール制御プログラムを実行することにより、前記モジュール装置から映像又は音声データを取得するデータ取得手段と、
前記再生処理プログラムを実行することにより、前記映像又は音声データのフォーマットに応じた信号処理を施し、データを再生するデータ再生手段と、
前記モジュール接続手段に複数のモジュール装置が接続された場合に、前記複数のモジュール装置の中から有効とするモジュール装置を選択する選択手段と、を備え、
前記プログラム取得手段は、前記モジュール接続手段にモジュール装置が接続されたとき、又は、接続後に装置本体の電源が投入されたときに、当該モジュール装置から前記モジュール制御プログラム及び再生処理プログラムを取得し、
前記データ取得手段は、前記選択手段によって選択されたモジュール装置から映像又は音声データを取得し、
前記データ再生手段は、前記データ取得手段によって取得された映像又は音声データを再生する
ことを特徴とする映像音声再生装置。
【発明の詳細な説明】
【技術分野】
【０００１】
本発明は、映像音声再生装置に関し、特に，映像又は音声データを入力するための構成を、ユーザが自由に構築可能な映像音声再生装置に関する。
【背景技術】
【０００２】
従来、例えば、ＢＳ／ＣＳ／地上デジタル放送を含むテレビ放送信号を受信可能なデジタル放送受信装置において、チューナ等の周辺デバイス（モジュール装置）が増設された場合、この周辺デバイスをデジタル放送受信装置により制御するためには、各デバイスに対応する制御プログラムが必要となる。そして、その制御プログラムを取得する方法として、例えば、テレビ放送信号からダウンロードする方法と、メモリカードのような記憶媒体からダウンロードする方法が提案されている（例えば、特許文献１）。
【０００３】
また、特許文献２には、例えば、テレビ放送信号に付加されて送られてくる機器用のプログラム（機能の更新や不具合の修正プログラムなど）を受信装置の使用状態及び通電状態に影響されることなく取得可能な技術が開示されている。
【０００４】
特許文献３には、制御プログラムの更新前の状態と更新後の状態を両方保持しておくことで、制御プログラムをダウンロードした後、不具合が見つかった場合に対処できるようにしたデジタル放送受信装置が開示されている。
【０００５】
しかしながら、上記従来の技術では、モジュール装置を他のデジタル放送受信装置に装着した場合には、再度制御プログラムをダウンロードする必要がある等、容易に対応できないという課題があった。
【０００６】
その課題を解決する手段として、特許文献４には、デジタル放送受信機にチューナモジュール装置を増設する場合に、チューナモジュール装置に対する制御プログラムをチューナモジュール装置自身からダウンロードする技術が開示されている。具体的には、チューナモジュール装置の不揮発性メモリ（ＲＯＭ）から当該デジタル放送受信装置に適合した制御プログラムをダウンロードし、デジタル放送受信機においてこの制御プログラムを実行することで、チューナモジュール装置の制御を行う。そうすることによって、他のデジタル放送受信装置にチューナモジュール装置を接続した場合でも、他のデジタル放送受信装置において最新の制御プログラムが実行されることとなるので、比較的容易に対応することができる。この場合、チューナモジュール装置には不揮発性メモリが搭載され、この不揮発性メモリにチューナモジュール装置用の制御プログラムが格納されていることが前提となる。
【０００７】
また、上記特許文献４に類似した発明として、特許文献５には、複数のチューナが接続されたチューナ・セレクタが自身を制御する制御プログラムを有し、この制御プログラムをロード要求した機器に対してネットワークを介して出力する技術が開示されている。
【特許文献１】特開２００６−０５４５２２号公報
【特許文献２】特開２００６−１９７１９７号公報
【特許文献３】特開２００５−３４８３８０号公報
【特許文献４】特開２００４−２４８０５２号公報
【特許文献５】特開平１１−０７５１３１号公報
【発明の開示】
【発明が解決しようとする課題】
【０００８】
しかしながら、特許文献４に記載されている発明は、あくまでデジタル放送受信装置にチューナモジュール装置を増設する場合に有効なものであり、チューナモジュール装置以外のモジュール装置を増設する場合にも有効であるかは定かでない。
また、デジタル放送受信装置にモジュール装置を複数接続する場合も想定されていない。
すなわち、特許文献４に記載の技術を利用しても、デジタル放送受信装置に複数のモジュール装置を自由に増設／変更する技術を想到できるとはいえない。
【０００９】
本発明は、上述した事情に鑑み提案されたもので、映像又は音声データを入力するための構成を、ユーザが自由に構築可能な映像音声再生装置を提供することを目的とする。
【課題を解決するための手段】
【００１０】
請求項１に記載の発明は、上記目的を達成するためになされたものであり、映像音声再生装置において、所定のフォーマットの映像又は音声データを出力するモジュール装置を複数接続するためのモジュール接続手段と、前記モジュール接続手段に接続されたモジュール装置から、当該モジュール装置の動作を制御するモジュール制御プログラム、及び、当該モジュール装置から出力された映像又は音声データを再生するための再生処理プログラムを取得するプログラム取得手段と、前記モジュール制御プログラムを実行することにより、前記モジュール装置から映像又は音声データを取得するデータ取得手段と、前記再生処理プログラムを実行することにより、前記映像又は音声データのフォーマットに応じた信号処理を施し、データを再生するデータ再生手段と、前記モジュール接続手段に複数のモジュール装置が接続された場合に、前記複数のモジュール装置の中から有効とするモジュール装置を選択する選択手段と、を備え、前記データ取得手段は、前記選択手段によって選択されたモジュール装置から映像又は音声データを取得し、前記データ再生手段は、前記データ取得手段によって取得された映像又は音声データを再生することを特徴とする。
【００１１】
請求項２に記載の発明は、請求項１に記載の映像音声再生装置において、前記プログラム取得手段は、前記モジュール接続手段にモジュール装置が接続されたとき、又は、接続後に装置本体の電源が投入されたときに、当該モジュール装置から前記モジュール制御プログラム及び再生処理プログラムを取得することを特徴とする。
【００１２】
請求項３に記載の発明は、請求項１または２に記載の映像音声再生装置において、前記モジュール接続手段は、同一規格の接続インタフェースを有する複数の接続部で構成されることを特徴とする。
【００１３】
請求項４に記載の発明は、映像音声再生装置において、同一規格の接続インタフェースを有する複数の接続部で構成され、所定のフォーマットの映像又は音声データを出力するモジュール装置を複数接続するためのモジュール接続手段と、前記モジュール接続手段に接続されたモジュール装置から、当該モジュール装置の動作を制御するモジュール制御プログラム、及び、当該モジュール装置から出力された映像又は音声データを再生するための再生処理プログラムを取得するプログラム取得手段と、前記モジュール制御プログラムを実行することにより、前記モジュール装置から映像又は音声データを取得するデータ取得手段と、前記再生処理プログラムを実行することにより、前記映像又は音声データのフォーマットに応じた信号処理を施し、データを再生するデータ再生手段と、前記モジュール接続手段に複数のモジュール装置が接続された場合に、前記複数のモジュール装置の中から有効とするモジュール装置を選択する選択手段と、を備え、前記プログラム取得手段は、前記モジュール接続手段にモジュール装置が接続されたとき、又は、接続後に装置本体の電源が投入されたときに、当該モジュール装置から前記モジュール制御プログラム及び再生処理プログラムを取得し、前記データ取得手段は、前記選択手段によって選択されたモジュール装置から映像又は音声データを取得し、前記データ再生手段は、前記データ取得手段によって取得された映像又は音声データを再生することを特徴とする。
【発明の効果】
【００１４】
本発明によれば、映像再生装置に種々のモジュール装置を接続でき、複数のモジュール装置が接続されている場合には、選択されたモジュール装置から入力された映像又は音声データを再生させることができる。これにより、映像音声再生装置において、映像又は音声データを入力するための構成を、ユーザは自由に構築可能となる。したがって、ユーザは、利用形態に応じて、最適なデータ入力構成を備えた映像音声再生装置を容易に実現することができる。
【発明を実施するための最良の形態】
【００１５】
以下、本発明の実施の形態を図面に基づいて説明する。
【００１６】
図１は、本発明の一実施形態であるデジタル放送受信装置の外観斜視図である。
図１に示すように、デジタル放送受信装置１００は、表示パネル１１０の右側面にモジュール装置（例えば、チューナモジュール装置２００、ＨＤＭＩ端子モジュール装置３００）を装着するためのスロット１１１ａ，１１１ｂ，１１１ｃを備えている。スロット１１１ａ，１１１ｂ，１１１ｃは、同一規格の接続インタフェース（Ｉ／Ｆ）１０１ａ，１０１ｂ，１０１ｃ（図２参照）を有し、この接続インタフェース１０１ａ，１０１ｂ，１０１ｃがモジュール装置２００，３００との接続部となる。これにより、同じ規格の接続インタフェースを有するモジュール装置であれば、どのスロット１１１ａ，１１１ｂ，１１１ｃにでも装着可能となっている。
【００１７】
図２は、本実施形態に係るデジタル放送受信装置、及びデジタル放送受信装置に装着されるモジュール装置の概略構成を示すブロック図である。
図２に示すように、デジタル放送受信装置１００は、接続インタフェース（Ｉ／Ｆ）１０１と、信号処理部１０３と、出力部１０４と、制御部１０５と、を備えて構成され、各ブロックはＰＣＩ（Peripheral Component Interconnect）バス１０９によって電気的に接続される。
【００１８】
接続インタフェース（Ｉ／Ｆ）１０１ａ，１０１ｂ，１０１ｃは、モジュール装置２００，３００を接続するためのモジュール接続手段であり、各々同一規格（例えば、物理的なコネクタ形状や、信号の送受信の方法（プロトコル）など）で構成されている。接続インタフェース１０１の規格としては、パラレル接続方式やシリアル接続方式、機器の電源を入れたまま抜き差しできるホットプラグ対応方式／非対応方式等、さまざまなものがあるが、本実施形態ではＰＣＩバス対応の接続インタフェースであれば構わない。
また、接続インタフェース１０１は、データ信号線、制御信号線、電源供給線を備え、デジタル放送受信装置１００とモジュール装置２００，３００間でデータ信号、及び制御信号の送受信を可能とする。
【００１９】
接続インタフェース１０１には、同一規格の接続インタフェースを有するモジュール装置が着脱可能に接続される。図２では、一例として、デジタル放送信号を受信しストリーム信号（例えば、ＴＳ（Transport Stream）信号）を入力するチューナモジュール装置２００と，デジタルＡＶ機器からのＨＤＭＩ信号を入力するＨＤＭＩ端子モジュール装置３００を接続した場合について示している。
接続インタフェース１０１に接続可能なモジュール装置には、例えば、アナログ放送信号を受信可能なアナログチューナモジュール装置、外部ＡＶ機器からのアナログ映像又は音声データを入力可能な入力端子モジュール（Ｄ端子等）、インターネット等の通信ネットワーク経由で映像又は音声データを取得可能なＬＡＮ端子モジュール装置、格納されている映像又は音声データを出力する記憶装置（ハードディスクドライブ、フラッシュメモリ）等がある。
【００２０】
チューナ１０２は、例えば、図示しないＲＦ部、Ａ／Ｄ変換部、復調部等を備えて構成される。ＲＦ部は、アンテナから入力されたテレビジョン放送信号（例えば、地上デジタル放送、ＢＳデジタル放送、ＣＳデジタル放送）をユーザが所望するチャンネルのベースバンド信号に変換・増幅し出力する。Ａ／Ｄ変換部は、アナログ（ベースバンド）信号をデジタル（ベースバンド）信号に変換する。復調部は、ベースバンド信号を復調してストリーム信号を出力する。
【００２１】
信号処理部１０３は、例えば、図示しない信号分離回路やデコーダ等を備えて構成され、チューナ１０２から出力されたストリーム信号に含まれるデジタル映像又は音声データ（例えば、ＭＰＥＧ２データ）を復号し、デジタル映像又は音声信号を出力する。
また、モジュール装置２００，３００により入力された映像又は音声データに対して、フォーマットに応じた信号処理を施し、デジタル映像又は音声信号を出力する。
【００２２】
出力部１０４は、例えば、液晶パネル等の表示部１０４ａと、スピーカ等の音声出力部１０４ｂを含んで構成される。表示部１０４ａは、信号処理部１０３から出力されたデジタル映像信号をアナログ映像信号に変換し、このアナログ映像信号に基づく映像を出力する。音声出力部１０４ｂは、信号処理部１０３から出力されたデジタル音声信号をアナログ音声信号に変換し、このアナログ音声信号に基づく音声を出力する。また、出力部１０４は、外部機器にアナログ映像又は音声信号を出力するための出力端子を備える構成としてもよい。
【００２３】
制御部１０５は、例えば、ＣＰＵ（Central Processing Unit）１０６、ＲＡＭ（Random Access Memory）１０７、ＲＯＭ（Read Only Memory）１０８等を備えて構成され、デジタル放送受信装置１００の各部を制御する。
【００２４】
具体的には、ＣＰＵ１０６は、ＲＯＭ１０８に格納された処理プログラム等を読み出して、ＲＡＭ１０７に展開して実行することにより、デジタル放送受信装置１００全体の制御を行う。
ＲＡＭ１０７は、ＣＰＵ１０６により実行された処理プログラム等を、ＲＡＭ１０７内のプログラム格納領域に展開するとともに、入力データや上記処理プログラムが実行される際に生じる処理結果等をデータ格納領域に格納する。
ＲＯＭ１０８は、例えば、半導体メモリ等で構成され、処理プログラムやデータ等が予め記憶されている。ＲＯＭ１０８には、例えば、デバイス接続処理プログラム、信号再生処理プログラムが格納されている。
【００２５】
ＣＰＵ１０６は、例えば、デバイス接続処理プログラムを実行することにより、
接続インタフェース１０１ａ，１０１ｂ，１０１ｃに接続されたモジュール装置（例えば、モジュール装置２００，３００）から、当該モジュール装置の動作を制御するためのモジュール制御プログラム、及び当該モジュール装置から出力された映像又は音声データを再生するための再生処理プログラムを取得する（プログラム取得手段）。
また、ＣＰＵ１０６は、ＲＯＭ１０８に格納されている信号再生処理プログラムを実行して信号再生処理を行う。具体的には、この信号再生処理において、取得したモジュール制御プログラムを実行することにより、モジュール装置から映像又は音声データを取得する（データ取得手段）。さらに、再生処理プログラムを実行することにより、映像又は音声データのフォーマットに応じた信号処理を施し、データを再生する（データ再生手段）。
【００２６】
次に、接続インタフェース１０１ａ，１０１ｂに接続されるチューナモジュール装置２００，ＨＤＭＩ端子モジュール装置３００について説明する。
【００２７】
チューナモジュール装置２００は、チューナ２０１と、制御部２０５と、を備えて構成される。
チューナ２０１は、デジタル放送受信装置１００のチューナ１０２と同様の構成を有し、テレビ放送信号（例えば、地上デジタル放送、ＢＳデジタル放送、ＣＳデジタル放送）受信用のアンテナにより受信されたテレビ放送信号の中から、ユーザ所望の放送番組のチャンネルに対応する周波数帯域に存在するテレビ放送信号を受信し、ＴＳ信号を出力する。
【００２８】
制御部２０５は、例えば、ＣＰＵ２０６、ＲＡＭ２０７、ＲＯＭ２０８等を備えて構成され、チューナモジュール装置２００の各部を制御する。
具体的には、ＣＰＵ２０６は、ＲＯＭ２０８に格納された処理プログラム等を読み出して、ＲＡＭ２０７に展開して実行することにより、チューナモジュール装置２００全体の制御を行う。
ＲＡＭ２０７は、ＣＰＵ２０６により実行された処理プログラム等を、ＲＡＭ２０７内のプログラム格納領域に展開するとともに、入力データや上記処理プログラムが実行される際に生じる処理結果等をデータ格納領域に格納する。
ＲＯＭ２０８は、例えば、半導体メモリ等で構成され、処理プログラムやデータ等が予め記憶されている。ＲＯＭ２０８には、例えば、モジュール制御プログラム、再生処理プログラム、当該モジュール装置２００の種類・出力信号のフォーマット・制御プログラム等の仕様に関する情報（属性情報）等が格納されている。
【００２９】
ＣＰＵ２０６は、デジタル放送受信装置１００からのプログラム要求に対して、ＲＯＭ２０８に格納されているモジュール制御プログラム及び再生処理プログラムを出力する。そして、デジタル放送受信装置１００のＣＰＵ１０６によりモジュール制御プログラムが実行されると、チューナモジュール装置２００のＣＰＵ２０６によってチューナ２０１が制御され、所望のＴＳ信号が出力されることとなる。
【００３０】
ＨＤＭＩ端子モジュール装置３００は、ＨＤＭＩ端子３０１と、制御部３０５と、を備えて構成される。
ＨＤＭＩ端子３０１は、デジタル放送受信装置１００と外部ＡＶ機器とをＨＤＭＩケーブルを介して接続するための端子である。ＨＤＭＩ端子３０１は、デジタルＡＶ機器から非圧縮で伝送されたデジタル形式の映像又は音声データを入力され、この映像又は音声データをデジタル放送受信装置１００に出力する。また、当該ＡＶ機器に制御信号を伝送することにより、デジタル放送受信装置１００から当該ＡＶ機器を制御することができる。
【００３１】
制御部３０５は、例えば、ＣＰＵ３０６、ＲＡＭ３０７、ＲＯＭ３０８等を備えて構成され、ＨＤＭＩ端子モジュール装置３００の各部を制御する。
具体的には、ＣＰＵ３０６は、ＲＯＭ３０８に格納された処理プログラム等を読み出して、ＲＡＭ３０７に展開して実行することにより、ＨＤＭＩ端子モジュール装置３００全体の制御を行う。
ＲＡＭ３０７は、ＣＰＵ３０６により実行された処理プログラム等を、ＲＡＭ３０７内のプログラム格納領域に展開するとともに。入力データや上記処理プログラムが実行される際に生じる処理結果等をデータ格納領域に格納する。
ＲＯＭ３０８は、例えば、半導体メモリ等で構成され、処理プログラムやデータ等が予め記憶されている。ＲＯＭ３０８には、例えば、モジュール制御プログラム、再生処理プログラム、当該モジュール装置３００の種類・出力信号のフォーマット・制御プログラム等の仕様に関する情報（属性情報）等が格納されている。
【００３２】
ＣＰＵ３０６は、デジタル放送受信装置１００からのプログラム要求に対して、ＲＯＭ３０８に格納されているモジュール制御プログラム及び再生処理プログラムを出力する。そして、デジタル放送受信装置１００のＣＰＵ１０６によりモジュール制御プログラムが実行されると、ＨＤＭＩ端子モジュール装置３００のＣＰＵ３０６によってＨＤＭＩ端子３０１に接続されたＡＶ機器が制御され、非圧縮の
デジタル形式の映像又は音声データが出力されることとなる。 
【００３３】
このように、接続インタフェース１０１に接続されるモジュール装置２００，３００は、所定のフォーマットの映像又は音声データをデジタル放送受信装置１００に入力可能なものである。
図２に示すように、デジタル放送受信装置１００にチューナモジュール装置２００を装着した場合は、いわゆるダブルチューナ搭載機となり、２番組の同時視聴が可能となる。また、ＨＤＭＩ端子モジュール装置３００を装着した場合は、デジタルＡＶ機器との高品質な映像又は音声データの送受信が可能となる。また、ハードディスク等の記憶装置を装着した場合は、取得した映像又は音声データを簡単に記録することが可能となる。
【００３４】
図３は、デジタル放送受信装置１００において実行されるデバイス接続処理の一例について示したフローチャートである。このデバイス接続処理は、ＣＰＵ１０６がＲＯＭ１０８内のデバイス接続処理プログラムを実行することにより実現される。
【００３５】
図３において、ステップＳ１１では、デジタル放送受信装置１００にモジュール装置が接続されたか判定する。例えば、接続インタフェース１０１の電源供給線から電源が供給されはじめたときに、モジュール装置が接続されたものとして認識する。そして、ＣＰＵ１０６がモジュール装置２００、３００の接続を認識した場合は、次のステップＳ１２に移行する。
【００３６】
ステップＳ１２では、デジタル放送受信装置１００の接続インタフェース１０１に接続されたモジュール装置２００、３００に対して、属性情報、例えば、当該モジュール装置２００、３００の種類・出力信号のフォーマット・制御プログラム等の仕様に関する情報を要求する。
この要求に対して、モジュール装置２００、３００では、ＣＰＵ２０６，３０６がＲＯＭ２０７，３０７内に格納されている属性情報をＲＡＭに読み出し、デジタル放送受信装置１００に出力する。
【００３７】
ステップＳ１３では、モジュール装置２００、３００から提供された属性情報に基づいて、当該モジュール装置２００、３００がデジタル放送受信装置１００に接続が可能であるか否か、すなわちデジタル放送受信装置１００側からの制御が可能であるか否かを判定する。そして、当該モジュール装置２００、３００をデジタル放送受信装置１００に接続することが可能であると判定された場合には次のステップＳ１４に移行し、接続することが不可能であると判定された場合にはデバイス接続処理を終了する。
【００３８】
ステップＳ１４では、モジュール装置２００，３００に対して、当該モジュール装置２００、３００を制御するためのモジュール制御プログラム、及び当該モジュール装置２００，３００から出力された映像又は音声データを再生するための再生処理プログラムを要求する。
この要求に対して、モジュール装置２００、３００では、ＣＰＵ２０６，３０６がＲＯＭ２０７，３０７内に格納されているモジュール制御プログラム及び再生処理プログラムをＲＡＭに読み出し、デジタル放送受信装置１００に出力する。
モジュール装置２００、３００から提供されたモジュール制御プログラム及び再生処理プログラムは、ＲＯＭ１０８内に格納され、必要に応じてＲＡＭ１０７に読み出されて実行される。
【００３９】
このように、本実施形態のデジタル放送受信装置１００は、モジュール装置２００、３００の接続を認識すると、当該モジュール装置２００、３００の属性情報を問い合わせ、接続可能なモジュール装置２００、３００であるどうかの判別を行う。そして、接続可能と判定されれば、当該モジュール装置２００、３００を制御するためのモジュール制御プログラム及び当該モジュール装置から出力された映像又は音声データを再生するための再生処理プログラムを当該モジュール装置２００、３００に対して要求し、取得する。
すなわち、モジュール装置２００、３００の機能を有効化するためのプログラムは自動的に装置本体にインストールされることとなるので、ユーザは容易にモジュール装置２００、３００を増設／変更することができる。本実施形態におけるモジュール装置２００、３００は自身で制御プログラム等を保持することが前提とされているので、放送波や記憶媒体から制御プログラム等をダウンロードするという作業も要しない。
【００４０】
図４は、デジタル放送受信装置１００において実行される信号再生処理の一例について示したフローチャートである。この信号再生処理は、ＣＰＵ１０６がＲＯＭ１０８内の信号再生処理プログラムを実行することにより実現される。また、図５は、再生処理の一例を示すフローチャートである。
【００４１】
図４において、ステップＳ２１では、デジタル放送受信装置１００に接続された複数のモジュール装置２００、３００の中から、ユーザのリモコン操作等により選択されたモジュール装置２００又は３００を有効とする。具体的には、ユーザが、例えば、リモコン操作により所望の外部入力チャンネルを選択すると、選択された外部入力チャンネルに対応するモジュール装置２００又は３００が有効となる。
【００４２】
ステップＳ２２では、ステップＳ１４でデジタル放送受信装置１００のＲＯＭ１０８内に格納されたモジュール制御プログラムのうち、ステップＳ２１で有効とされたモジュール装置２００又は３００のモジュール制御プログラムを実行し、当該モジュール装置２００又は３００から供給される映像・音声データを取得する。
【００４３】
例えば、チューナモジュール装置２００が有効とされて、当該チューナモジュール装置２００のモジュール制御プログラムが実行されると、デジタル放送受信装置１００のＣＰＵ１０６は当該チューナモジュール装置２００の制御部２０５と協働して、当該チューナモジュール装置２００が受信したテレビ放送信号（映像・音声データが多重化されたもの）をデジタル放送受信装置１００に対して供給させる。
【００４４】
また、例えば、ＨＤＭＩ端子モジュール装置３００が有効とされて、当該ＨＤＭＩ端子モジュール装置３００のモジュール制御プログラムが実行されると、デジタル放送受信装置１００のＣＰＵ１０６は当該ＨＤＭＩ端子モジュール装置３００の制御部３０５と協働して、当該ＨＤＭＩ端子モジュール装置３００に接続されているＡＶ機器から出力される映像又は音声データをデジタル放送受信装置１００に対して供給させる。
【００４５】
次いで、図４のステップＳ２３では、モジュール装置２００又は３００から供給された映像又は音声データの再生処理を行う。具体的には、デジタル放送受信装置１００のＲＯＭ１０８内に格納された再生処理プログラムのうち、ステップＳ２１で有効とされたモジュール装置２００又は３００の再生処理プログラムを実行する。
【００４６】
再生処理プログラムが実行されると、図５のフローチャートに従って再生処理が行われる。
図５において、ステップＳ３１では、当該モジュール装置２００又は３００が出力する映像又は音声データのフォーマットに応じて信号処理経路を設定する。
【００４７】
ステップＳ３２では、設定された信号処理経路に沿って、映像又は音声データに対して所定の信号処理を行う。
例えば、図４のステップＳ２１でチューナモジュール装置２００が選択された場合は、デジタル放送信号（例えば、ＴＳ信号）が取得されることとなるので、デジタル放送信号を、例えば、映像データと音声データに分離し、デコーダで復号する。
また、例えば、図４のステップＳ２１でＨＤＭＩ端子モジュール装置３００が選択された場合は、非圧縮のデジタル映像信号とデジタル音声信号が取得されることとなるので、復号する必要はなく、入力されたデジタル映像又は音声データはそのまま出力部１０４に供給される。
【００４８】
ステップＳ３３では、所定の信号処理を経たデジタル映像や音声信号をアナログ映像又は音声信号に変換し、このアナログ映像又は音声信号に基づく映像又は音声を出力部１０４より出力する。
具体的には、映像は液晶パネル等の表示部１０４ａより出力され、音声はスピーカ等の音声出力部１０４ｂより出力される。また、映像や音声を外部機器に出力する場合は、アナログ映像信号又は音声信号が出力端子を通じて出力される。
【００４９】
本実施形態のデジタル放送受信装置１００によれば、種々のモジュール装置（例えば、チューナモジュール装置２００、ＨＤＭＩ端子モジュール装置３００）を接続でき、複数のモジュール装置が接続されている場合には、選択されたモジュール装置からの映像又は音声データを再生させることができる。これにより、デジタル放送受信装置１００において、映像又は音声データを入力するための構成を、ユーザは自由に構築可能となる。したがって、ユーザは、利用形態に応じて、最適なデータ入力構成を備えた映像音声再生装置を容易に実現することができる。
【００５０】
また、モジュール装置を換装するだけで異なる機能を追加できるので、ユーザは低コストで所望の映像音声再生装置を実現することができる。
さらに、種々のモジュール装置を接続できる上、それぞれのモジュール装置の機能を有効化するためのプログラム（ドライバ等）は自動的に装置本体にインストールされることとなるので、ユーザは容易にモジュール装置を増設／変更することができる。
今後はハイビジョン対応のデジタルＡＶ機器（例えば、ハードディスクレコーダやデジタルビデオカメラ等）が急速に普及することに伴い、ＨＤＭＩ接続が主流になると考えられる。しかし、予めＡＶ機器にＨＤＭＩ端子を複数設けるようにすると、ＡＶ機器単価の高騰につながるため、ＨＤＭＩ端子の数はユーザの選択に任せるのが望ましい。本発明は、このような状況において特に顕著な効果を発揮する。
【００５１】
以上、本発明者によってなされた発明を実施形態に基づいて具体的に説明したが、本発明は上記実施形態に限定されるものではなく、その要旨を逸脱しない範囲で変更可能である。
【００５２】
本実施形態では、デジタル放送受信装置１００に装着可能なモジュール装置としてチューナモジュール装置２００、ＨＤＭＩ端子モジュール装置３００を例示したが、例えば、ＬＡＮ端子モジュールやハードディスク等の記憶モジュール、その他、映像又は音声データを出力可能な一般的な入力モジュール装置を用いることができる。
すなわち、信号を出力可能な装置であればよく、種々の装置を自由に組み合わせて接続することで、ユーザの利用形態に応じた最適な再生装置を容易に構築することができる。
【００５３】
また、本実施形態においては、モジュール装置２００、３００の接続認識時に属性情報を問い合わせるよう構成されているが、例えば、本体装置の電源がＯＦＦの時にモジュール装置２００、３００が接続された場合は、電源がＯＮされた時に属性情報を問い合わせ、モジュール制御プログラム等を取得するような構成にしてもよい。
また、接続インタフェース１０１の数は３つに制限されず、接続インタフェースが多いほど装置構成の自由度が高まるので、設置空間が許す範囲で多くするのが好ましい。
【００５４】
本発明は、デジタル放送受信装置に制限されず、ＡＶ機器全般に適用可能である。極端にいえば、モジュール装置を接続する接続インタフェースと、制御部だけを備えた構成とすることもできる。
【図面の簡単な説明】
【００５５】
【図１】本発明の一実施形態であるデジタル放送受信装置の斜視図である。
【図２】本実施形態に係るデジタル放送受信装置及びモジュール装置の概略構成を示すブロック図である。
【図３】デジタル放送受信装置１００において実行されるデバイス接続処理の一例について示したフローチャートである。
【図４】デジタル放送受信装置１００において実行される信号再生処理の一例について示したフローチャートである。
【図５】再生処理の一例を示すフローチャートである。
【符号の説明】
【００５６】
１００  デジタル放送受信装置
１０１  接続インタフェース（Ｉ／Ｆ）
１０２  チューナ
１０３  信号処理部
１０４  出力部
１０５  制御部
１０６  ＣＰＵ
１０７  ＲＡＭ
１０８  ＲＯＭ
１０９  ＰＣＩバス
１１０  表示パネル
１１１  スロット
２００  チューナモジュール装置
２０１  チューナ
２０５  制御部
２０６  ＣＰＵ
２０７  ＲＡＭ
２０８  ＲＯＭ
３００  ＨＤＭＩ端子モジュール装置
３０１  ＨＤＭＩ端子
３０５  制御部
３０６  ＣＰＵ
３０７  ＲＡＭ
３０８  ＲＯＭ
【図１】
2009055338.tif 000003
【図２】
2009055338.tif 000004
【図３】
2009055338.tif 000005
【図４】
2009055338.tif 000006
【図５】
2009055338.tif 000007